【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
ページインデックスフィールドと、ブロックオフセットフィールドと、グループキャストトラフィックをバッファした０個以上の基本サービスセット（ＢＳＳ）を示す部分仮想ビットマップフィールドとを備える情報要素（ＩＥ）とともにフレームを生成するように構成される処理システムと、ここにおいて、前記部分仮想ビットマップフィールドは、グループキャストトラフィックをバッファした少なくとも１つの個々のＢＳＳを、前記個々のＢＳＳの識別子の１つまたは複数のビットを使用して識別する少なくとも１つの符号化サブフィールドを備え、前記少なくとも１つの符号化サブフィールドは、単一の関連付け識別子サブフィールドまたは単一の割当て識別子（ＡＩＤ）サブフィールドを備え、前記処理システムは、前記個々のＢＳＳの前記識別子を生成するために、前記単一の関連付け識別子サブフィールドまたは前記単一のＡＩＤサブフィールドとともに前記ページインデックスフィールドと前記ブロックオフセットフィールドとを使用するように構成される、
送信のために前記ＩＥを備える前記フレームを出力するためのインターフェースと
を備える、ワイヤレス通信のための装置。
【請求項２】
前記個々のＢＳＳの前記識別子は、関連付け識別子またはＡＩＤを備える、請求項１に記載の装置。
【請求項３】
前記処理システムは、前記個々のＢＳＳの前記識別子の１つまたは複数の最上位ビットが前記ＩＥ中に含まれる前記ページインデックスフィールドの１つまたは複数のビットの実際値ではなく、少なくとも１つのデフォルト値を有すると仮定するようにさらに構成される、請求項１に記載の装置。
【請求項４】
前記処理システムは、前記ＩＥ中に含まれる前記ページインデックスフィールドの実際値ではなく、前記個々のＢＳＳの前記識別子の少なくとも２つの最上位ビットのために０のデフォルト値を仮定するようにさらに構成される、請求項１に記載の装置。
【請求項５】
前記少なくとも１つの符号化サブフィールドは、
前記単一の関連付け識別子サブフィールドまたは単一のＡＩＤサブフィールドに関連するＡＩＤ値が、前記個々のＢＳＳのためのバッファされたグループキャストトラフィックを示すか、それとも
前記単一の関連付け識別子サブフィールドまたは単一のＡＩＤサブフィールドに関連するＡＩＤ値が、デバイスのためのユニキャストトラフィックを示すか
の指示を備える、請求項１に記載の装置。
【請求項６】
前記少なくとも１つの符号化サブフィールドは、デバイスの関連付け識別子またはＡＩＤに先行する、請求項１に記載の装置。
【請求項７】
装置によるワイヤレス通信のための方法であって、
ページインデックスフィールドと、ブロックオフセットフィールドと、グループキャストトラフィックをバッファした０個以上の基本サービスセット（ＢＳＳ）を示す部分仮想ビットマップフィールドとを備える情報要素（ＩＥ）とともにフレームを装置において生成することと、ここにおいて、前記部分仮想ビットマップフィールドは、グループキャストトラフィックをバッファした少なくとも１つの個々のＢＳＳを、前記個々のＢＳＳの識別子の１つまたは複数のビットを使用して識別する少なくとも１つの符号化サブフィールドを備え、前記少なくとも１つの符号化サブフィールドは、単一の関連付け識別子サブフィールドまたは単一の割当て識別子（ＡＩＤ）サブフィールドを備え、前記ページインデックスフィールドと前記ブロックオフセットフィールドとは、前記個々のＢＳＳの前記識別子を生成するために、前記単一の関連付け識別子サブフィールドまたは前記単一のＡＩＤサブフィールドとともに使用される、
送信のために前記ＩＥを備える前記フレームを出力することと
を備える、方法。
【請求項８】
前記個々のＢＳＳの前記識別子は、関連付け識別子またはＡＩＤを備える、請求項７に記載の方法。
【請求項９】
前記生成することは、前記個々のＢＳＳの前記識別子の１つまたは複数の最上位ビットが、前記ＩＥ中に含まれる前記ページインデックスフィールドの１つまたは複数のビットの実際値ではなく、少なくとも１つのデフォルト値を有すると仮定することを備える、請求項７に記載の方法。
【請求項１０】
前記生成することは、前記ＩＥ中に含まれる前記ページインデックスフィールドの実際値ではなく、前記個々のＢＳＳの前記識別子の少なくとも２つの最上位ビットのために０のデフォルト値を仮定することを備える、請求項７に記載の方法。
【請求項１１】
前記少なくとも１つの符号化サブフィールドは、
前記単一の関連付け識別子サブフィールドまたは単一のＡＩＤサブフィールドに関連するＡＩＤ値が、前記個々のＢＳＳのためのバッファされたグループキャストトラフィックを示すか、それとも
前記単一の関連付け識別子サブフィールド単一のＡＩＤサブフィールドに関連するＡＩＤ値が、デバイスのためのユニキャストトラフィックを示すか
の指示を備える、請求項７に記載の方法。
【請求項１２】
前記少なくとも１つの符号化サブフィールドは、デバイスの関連付け識別子またはＡＩＤに先行する、請求項７に記載の方法。
【請求項１３】
ページインデックスフィールドと、ブロックオフセットフィールドと、グループキャストトラフィックをバッファした０個以上の基本サービスセット（ＢＳＳ）を示す部分仮想ビットマップフィールドとを備える情報要素（ＩＥ）とともにフレームを生成するための手段と、ここにおいて、前記部分仮想ビットマップフィールドは、グループキャストトラフィックをバッファした少なくとも１つの個々のＢＳＳを、前記個々のＢＳＳの識別子の１つまたは複数のビットを使用して識別する少なくとも１つの符号化サブフィールドを備え、前記少なくとも１つの符号化サブフィールドは、単一の関連付け識別子サブフィールドまたは単一の割当て識別子（ＡＩＤ）サブフィールドを備え、生成するための前記手段は、前記個々のＢＳＳの前記識別子を生成するために、前記単一の関連付け識別子サブフィールドまたは前記単一のＡＩＤサブフィールドとともに前記ページインデックスフィールドと前記ブロックオフセットフィールドとを使用する、
送信のために前記ＩＥを備える前記フレームを出力するための手段と
を備える、ワイヤレス通信のための装置。
【請求項１４】
前記個々のＢＳＳの前記識別子は、関連付け識別子またはＡＩＤを備える、請求項１３に記載の装置。
【請求項１５】
生成するための前記手段は、前記個々のＢＳＳの前記識別子の１つまたは複数の最上位ビットが、前記ＩＥ中に含まれる前記ページインデックスフィールドの１つまたは複数のビットの実際値ではなく、少なくとも１つのデフォルト値を有すると仮定する、請求項１３に記載の装置。
【請求項１６】
生成するための前記手段は、前記ＩＥ中に含まれる前記ページインデックスフィールドの実際値ではなく、前記個々のＢＳＳの少なくとも２つの最上位ビットのために０のデフォルト値を仮定する、請求項１３に記載の装置。
【請求項１７】
前記少なくとも１つの符号化サブフィールドは、
前記単一の関連付け識別子サブフィールドまたは前記単一のＡＩＤサブフィールドに関連するＡＩＤ値が、前記個々のＢＳＳのためのバッファされたグループキャストトラフィックを示すか、それとも
前記単一の関連付け識別子サブフィールドまたは前記単一のＡＩＤサブフィールドに関連するＡＩＤ値が、デバイスのためのユニキャストトラフィックを示すか
の指示を備える、請求項１３に記載の装置。
【請求項１８】
前記少なくとも１つの符号化サブフィールドは、デバイスの関連付け識別子またはＡＩＤに先行する、請求項１３に記載の装置。
【請求項１９】
装置によるワイヤレス通信のための非一時的コンピュータ可読媒体であって、前記非一時的コンピュータ可読媒体は、
ページインデックスフィールドと、ブロックオフセットフィールドと、グループキャストトラフィックをバッファした０個以上の基本サービスセット（ＢＳＳ）を示す部分仮想ビットマップフィールドとを備える情報要素（ＩＥ）とともにフレームを生成することと、ここにおいて、前記部分仮想ビットマップフィールドは、グループキャストトラフィックをバッファした少なくとも１つの個々のＢＳＳを、前記個々のＢＳＳの識別子の１つまたは複数のビットを使用して識別する少なくとも１つの符号化サブフィールドを備え、前記少なくとも１つの符号化サブフィールドは、単一の関連付け識別子サブフィールドまたは単一の割当て識別子（ＡＩＤ）サブフィールドを備え、前記ページインデックスフィールドと前記ブロックオフセットフィールドとは、前記個々のＢＳＳの前記識別子を生成するために、前記単一の関連付け識別子サブフィールドまたは前記単一のＡＩＤサブフィールドとともに使用される、
送信のために前記ＩＥを備える前記フレームを出力することと
を行うための命令を有する、非一時的コンピュータ可読媒体。
【請求項２０】
ページインデックスフィールドと、ブロックオフセットフィールドと、グループキャストトラフィックをバッファした０個以上の基本サービスセット（ＢＳＳ）を示す部分仮想ビットマップフィールドとを備える情報要素（ＩＥ）とともにフレームを生成するように構成される処理システムと、ここにおいて、前記部分仮想ビットマップフィールドは、グループキャストトラフィックをバッファした少なくとも１つの個々のＢＳＳを、前記個々のＢＳＳの識別子の１つまたは複数のビットを使用して識別する少なくとも１つの符号化サブフィールドを備え、前記少なくとも１つの符号化サブフィールドは、単一の関連付け識別子サブフィールドまたは単一の割当て識別子（ＡＩＤ）サブフィールドを備え、前記処理システムは、前記個々のＢＳＳの前記識別子を生成するために、前記単一の関連付け識別子サブフィールドまたは前記単一のＡＩＤサブフィールドとともに前記ページインデックスフィールドと前記ブロックオフセットフィールドとを使用するように構成される、
送信のために前記ＩＥを備える前記フレームを送信するように構成される送信機と
を備える、アクセスポイント。